(57)【要約】【課題】同時プリント時と焼き増しプリント時において、同画質の写真をプリントすること。【解決手段】写真フィルムを所定コマ数毎のグループに区分けする区分処理部２１１と、各グループに含まれるコマ画像を基に、ピースフィルム毎の基本露光データを算出する基本露光データ算出部２１２と、基本露光データを基に各コマ画像を補正するコマ画像補正部２１３とを備える。【選択図】　　　図２
2004077769.tif 000002
【特許請求の範囲】
【請求項１】
写真フィルムに記録された各コマ画像を撮像手段で光学的に読み取り、読み取ったコマ画像を当該コマ画像の露光データを基に露光手段により印画紙に露光する写真処理装置において、
前記撮像手段で読み取った各コマ画像を、写真フィルムの記録順又は記録順とは逆順に所定数ずつグループ化する区分処理手段と、
読み取ったコマ画像からグループ毎の基本露光データを算出する基本露光データ算出手段と、
算出された基本露光データを用いて各コマ画像の露光データを補正する補正手段とを備え、
補正後の露光データを前記露光手段に導くことを特徴とする写真処理装置。
【請求項２】
前記区分処理手段は、予め定められた写真フィルムに含まれるコマ画像の総数及びその総数に対応して予め定められたグループ化のフォーマットに基づいて写真フィルムをグループ化するものであり、前記補正手段は、前記区分処理手段が、前記フォーマットどおりに写真フィルムをグループ化することができた場合、各グループに含まれるコマ画像からグループ毎の基本露光データを算出することを特徴とする請求項１記載の写真現像処理装置。
【請求項３】
前記補正手段は、写真フィルムに含まれるコマ画像の総数が予め定められた写真フィルムに含まれるコマ画像の総数に一致せず、前記区分処理手段が、前記フォーマットどおりに写真フィルムをグループ化することができなかった場合、写真フィルムに含まれる全てのコマ画像から前記基本露光データを算出することを特徴とする請求項２記載の写真現像処理装置。
【請求項４】
前記区分処理手段は、写真フィルムを等寸法ずつ裁断して得られるピースフィルム毎にグループを設定していることを特徴とする請求項１〜３のいずれかに記載の写真処理装置。
【請求項５】
オペレータにより操作可能な操作部を備え、前記区分処理手段は、前記操作部からの操作信号に応じて前記所定数を設定するものであることを特徴とする請求項１〜４のいずれかに記載の写真処理装置。
【請求項６】
前記区分処理手段が区分けしたグループにしたがって各コマ画像がレイアウトされたインデックス画像を作成するインデックス画像作成手段を更に備えることを特徴とする請求項１〜５のいずれかに記載の写真処理装置。
【発明の詳細な説明】
【０００１】
【発明の属する技術分野】
本発明は、写真フィルムに記録された各コマ画像を撮像手段で光学的に読み取り、読み取ったコマ画像を当該コマ画像の露光データを基に露光手段により印画紙に露光する写真処理装置に関する。
【０００２】
【従来の技術】
通常、ラボ店では撮影済みの写真フィルムが持ち込まれると、写真フィルムを現像し、かつ各コマ画像を一括的にプリント（同時プリント）する。同時プリントでは、１本の写真フィルムに記録されている全てのコマ画像を一旦読み取り、写真フィルム全体としての基本露光データが算出され、この算出された基本露光データを基に各コマ画像に対して、カラーバランスや画像濃度等に関する露光データが（補正されて）設定される。そして、設定された露光データを用いて、露光手段により各コマ画像の印画紙への露光（プリント）を行う。プリント処理が終了すると、写真フィルムは、例えば２４枚撮りの写真フィルムであれば、それぞれ先頭から例えば２枚、６枚、６枚、６枚、４枚のコマ画像を含むグループに区切られて（裁断されて）５枚のピースフィルムとされる。ピースフィルムは、ネガ袋に収納されて、印画紙にプリントされた写真とともに顧客に渡される。
【０００３】
【発明が解決しようとする課題】
ところで、同時プリント処理を依頼した後日に、更にプリント処理を依頼する場合の焼き増しプリントでは、写真フィルムは既にピースフィルムに裁断されていることから、ラボ店ではピースフィルム単位で基本露光データが算出され、この基本露光データを基に焼き増し分のコマ画像の露光データが補正されされる。そして、この補正後の露光データを用いて焼き増しプリントが行われる。そのため、同時プリント時と焼き増しプリント時とでは基本露光データが異なることとなり、カラーバランスや画像濃度に差が生じてしまい、同一の画質を有する写真をプリントアウトすることができないという問題があった。
【０００４】
また、この問題を解決するために、同時プリント時に設定された基本露光データを写真プリントの裏面に印字したり、ピースフィルムをまとめて格納する袋の表紙に印字するようにし、更には、記録媒体に記録する手法も知られているものの、これらの手法は、いずれも何らかの記録媒体に基本露光データを記録する作業を要することとなるため作業工程が増え、しかも焼き増しプリント時に顧客がこのデータを記録した記録媒体を持参しない場合には、同時プリントと同画質の写真をプリントアウトすることができないという問題がある。また、これらのデータを写真フィルムの磁気記録部に磁気情報として記録することも考えられるが、この場合、写真処理装置には、磁気情報を読み取るための装置が新たに必要となる。さらに、写真フィルムも磁気情報を記録することができるものに限られてしまう。
【０００５】
本発明は、このような課題を解決するためになされたものであり、同時プリント時と焼き増しプリント時とで同画質の画像をプリントすることができる写真処理装置を提供することを目的とする。
【０００６】
【課題を解決するための手段】
本発明に係る写真処理装置は、写真フィルムに記録された各コマ画像を撮像手段で光学的に読み取り、読み取ったコマ画像を当該コマ画像の露光データを基に露光手段により印画紙に露光する写真処理装置において、前記撮像手段で読み取った各コマ画像を、写真フィルムの記録順に所定数ずつグループ化する区分処理手段と、読み取ったコマ画像の露光データからグループ毎の基本露光データを算出する基本露光データ算出手段と、算出された基本露光データを用いて各コマ画像の露光データを補正する補正手段とを備え、補正後の露光データを前記露光手段に導くことを特徴とする。
【０００７】
この構成によれば、各コマ画像は、写真フィルムの記録順（先頭のコマ画像から順番）にグループに区分けされ、基本露光データ算出手段により、各グループに含まれるコマ画像の輝度の平均値などを基にして、グループ毎の基本露光データが算出される。そのため、区分けされたグループ毎にピースフィルムを作成すると、ピースフィルム毎に算出された基本露光データを用いて各コマ画像の露光データを補正する焼き増しプリントと同一の基本露光データにより、各コマ画像の露光データが補正されることとなり、同時プリント時と焼き増しプリント時とにおいて同画質の写真をプリントすることが可能となる。さらに、その結果、写真現像店が提供するサービスの質が一定に保たれる。
【０００８】
また、前記区分処理手段は、予め定められた写真フィルムに含まれるコマ画像の総数及びその総数に対応して予め定められたグループ化のフォーマットに基づいて写真フィルムをグループ化するものであり、前記補正手段は、前記区分処理手段が、前記フォーマットどおりに写真フィルムをグループ化することができた場合、各グループに含まれるコマ画像からグループ毎の基本露光データを算出することが好ましい。
【０００９】
この場合、例えば２４枚撮りの写真フィルムであれば、２枚、６枚、６枚、６、４枚、３６枚撮りの写真フィルムであれば、２枚、６枚、６枚、６枚、６枚、６枚、４枚というようにグループ化のフォーマットが写真現像処理装置に予め設定されており、区分処理手段は、撮像手段が読み取った写真フィルムをこのフォーマットにしたがってグループ化することができた場合、すなわち、撮像手段が読み取ったコマ画像の総枚数が２４枚や３６枚というように予め設定された枚数であり、区分処理手段が、コマ画像の総枚数毎に定められたフォーマットにしたがって、グループ化することができた場合、各グループの基本露光データは、そのグループに含まれるコマ画像から算出されることとなる。
【００１０】
また、前記補正手段は、写真フィルムに含まれるコマ画像の総数が予め定められた写真フィルムに含まれるコマ画像の総数に一致せず、前記区分処理手段が、前記フォーマットどおりに写真フィルムをグループ化することができなかった場合、写真フィルムに含まれる全てのコマ画像から前記基本露光データを算出することが好ましい。
【００１１】
この場合、例えば、撮像手段が読み取ったコマ画像の総枚数が、予め設定された写真フィルムのコマ画像の枚数に一致せず、区分処理手段が、予め定められたフォーマットどおりにコマ画像をグループ化することができなかった場合、写真フィルムに含まれる全てのコマ画像から基本露光データが算出されることとなる。
【００１２】
この場合、写真フィルムを等寸法ずつ裁断して得られるピースフィルム毎にグループを設定しているため、例えば各ピースフィルムをネガ袋に入れる際の取り扱いが容易となる。
【００１３】
また、前記区分処理手段は、写真フィルムが記録しうるコマ画像の枚数に応じて予め定められたフォーマットにしたがって、写真フィルムをグループ化するものであり、前記補正手段は、前記区分処理手段が、前記フォーマットどおりに写真フィルムをグループ化することができた場合、各グループに含まれるコマ画像からグループ毎の基本露光データを算出することが好ましい。
【００１４】
例えば、写真現像処理装置を設置する際、作業員またはラボ店の店員により、２４枚撮りの写真フィルムであれば、２枚、６枚、６枚、６枚、４枚、３６枚撮りの写真フィルムであれば、２枚、６枚、６枚、６枚、６枚、６枚、４枚というように、一般的な写真フィルムの総コマ数と、その総コマ数に対応するグループ化のフォーマットが予め設定されており、写真フィルムに含まれるコマ画像の総数が、例えば２４枚、３６枚というように、予め定められたフォーマットにグループ化することができる枚数である場合、補正手段は、各グループに含まれるコマ画像からグループ毎の基本露光データを算出する。
【００１５】
また、前記補正手段は、写真フィルムに含まれるコマ画像の総数が予め定められた写真フィルムに含まれるコマ画像の総数に一致せず、前記区分処理手段が、前記フォーマットどおりに写真フィルムをグループ化することができなかった場合、写真フィルムに含まれる全てのコマ画像から前記基本露光データを算出することが好ましい。
【００１６】
この場合、例えば、写真フィルムに含まれるコマ画像の総数が５枚、７枚というように、予め定められたフォーマットどおりに写真フィルムをグループ化することができない枚数である場合、写真フィルムに含まれる全てのコマ画像から基本露光データを算出するため、予め定められたグループ化のフォーマットどおりに写真フィルムをグループ化することができない場合であっても、基本露光データが算出され、この基本露光データを基に各コマ画像が補正されることとなる。
【００１７】
また、オペレータにより操作可能な操作部を備え、前記区分処理手段は、前記操作部からの操作信号に応じて前記所定数を設定するものであることが好ましい。
【００１８】
この場合、オペレータの入力操作に応じて、各グループに含まれるコマ数が決定され、ピースフィルムが作成されるため、例えば各ピースフィルムの長尺方向の長さがオペレータが所望する長さとなるように、各ピースフィルムに含まれるコマ画像を設定することが可能となる。さらに、その結果、写真現像店の販売スタイルに合わせて、ピースフィルムの長尺方向の長さを調節することが可能となり、写真現像店の特色を出すことができる。
【００１９】
この場合、インデックス画像における各コマ画像のレイアウトが、区分処理手段により区分けされたグループと一致しているため、グループを基にピースフィルムを作成すると、ピースフィルムのレイアウトと、インデックス画像のレイアウトとが一致することとなり、インデックス画像とピースフィルムとの照合が容易となる。
【００２０】
【発明の実施の形態】
図１は、本発明に係る写真処理装置の一実施形態を示す全体構成図である。本写真処理装置は、写真フィルムＦに順番に記録されている現像済みのコマ画像を光学的に読み取ってディジタル信号に変換する撮像手段としてのフィルムスキャナ部１０と、フィルムスキャナ部１０からの信号が入力される制御部２０と、制御部２０から出力される信号に基づいて印画紙Ｐに画像の露光を行う露光部４０と、露光後の印画紙Ｐを現像する現像処理部５０と、種々の処理命令を入力するための操作部６０と、操作部６０からの入力内容を確認するため、あるいは本写真処理装置の稼動状態などの種々の情報を監視表示するためのモニタ７０とを備えている。
【００２１】
フィルムスキャナ部１０は、白色光を出射するハロゲンランプなどが用いられた光源１１と、光源１１からの白色光の強度分布を整えて写真フィルムＦに導くレンズ群１２と、写真フィルムＦを搬送するフィルムキャリア１３と、写真フィルムＦを透過した光を光学的に読み取るＣＣＤなどからなる撮像部１４とを備え、基本露光データを得るためのプレスキャンと露光時における本スキャンの双方を行う。
【００２２】
フィルムキャリア１３は、写真フィルムＦの搬送路を形成するための所要数の駆動用及び従動用のローラ対９と、駆動用のローラ対９を回転駆動させるモータＭ１とを備えている。モータＭ１は、例えばステッピングモータで、制御部２０から出力される駆動パルス信号によってローラ対９を回転させる。複数のローラ対９間にはタイミングベルト（図略）が張設されている。
【００２３】
フィルムキャリア１３の写真フィルムＦの搬送路上には、写真フィルムＦのスキャン領域を決定するネガマスク１６と、写真フィルムＦのコマ画像の撮影領域に対応付けて表記されているコマ番号を表わす例えばバーコードを光学的に読み取るコマ番号読取部１７とが配設されている。
【００２４】
撮像部１４は、写真フィルムＦを透過した光を分光する手段としての３方向に分岐するプリズム１４１と、各色光を所定の透過特性で透過させる赤色フィルタ１４２Ｒ、緑色フィルタ１４２Ｇ及び青色フィルタ１４２Ｂと、赤色フィルタ１４２Ｒ、緑色フィルタ１４２Ｇ及び青色フィルタ１４２Ｂのそれぞれを通過した光を受光するＣＣＤラインセンサ１４３Ｒ、１４３Ｇ及び１４３Ｂとを備えている。ＣＣＤラインセンサ１４３Ｒ、１４３Ｇ及び１４３Ｂは主走査方向に複数個、例えば５０００個のＣＣＤ素子が配置され、搬送中の写真フィルムのコマ画像をライン状に所定周期で順次撮像することで、２次元のコマ画像を読み取る。ＣＣＤラインセンサ１４３Ｒ、１４３Ｂ及び１４３Ｇは受光した光量に応じたレベルの電気信号を出力するもので、取り出された信号はＡ／Ｄ変換されて所定ビット、例えば８ビットのディジタル信号に変換される。なお、撮像部１４のフィルタは単板式で構成してもよい。なお、撮像部１４は、１つのＣＣＤラインセンサを用いて、Ｒ、Ｇ及びＢの各画像成分をスキャンするものであってもよい。
【００２５】
マガジン３０は、長尺の印画紙Ｐを遮光状態で巻き回して収納するものである。印画紙Ｐは、印画紙搬送機構３１によってマガジン３０から繰り出された後、露光部４０、現像処理部５０を経てソータ８０に搬送される。印画紙搬送機構３１は、印画紙の搬送路を形成する複数のローラ対３２を備え、このローラ対３２には駆動するモータＭ２が接続されている。モータＭ２は、例えばステッピングモータが採用され、制御部２０から出力される駆動パルス信号によりローラ対３２を回転させる。さらに、露光部４０とマガジン３０との間の搬送路上には、印画紙Ｐを上下方向から挟み込んで１枚の写真サイズに裁断する一対のカッタ３３が配設されている。カッタ３３は、制御部２０から出力される制御信号によって駆動される。
【００２６】
現像処理部５０は、それぞれ現像、漂白、定着及び安定化液を貯蔵する４個のタンク５１〜５４を備える。露光部４０で露光された印画紙Ｐは、タンク５１〜５４に順番に浸漬され、現像、漂白、定着及び安定化処理が施されることで、印画紙Ｐに形成された潜像が顕在化される。
【００２７】
露光部４０は、それぞれＲ、Ｇ及びＢのレーザビームを出力するレーザ発光部と、レーザ発光部から出力された各色のレーザビームを合波して、印画紙搬送方向と直交する方向（主走査方向）に周期的に走査する走査機構と、レーザ発光部から出力された各色のレーザビームを画像データに基づいて変調する光変調素子とを備えている。走査機構によって印画紙Ｐにはその主走査方向に画像データが１ラインずつ露光されて潜像が形成され、かつ印画紙Ｐが所定速度で搬送されることで、副走査方向に画像の潜像が形成される。
【００２８】
制御部２０は、本写真処理装置に対する各種処理を統括的に行うＣＰＵを備えると共に、その処理のための制御プログラムを記憶するＲＯＭ（リードオンリーメモリ）と、作業領域として用いられ、データを一時的に記憶するＲＡＭ（ランダムアクセスメモリ）とを有する。
【００２９】
図２は、制御部２０のうち本発明に関連する部分の機能ブロック図を示している。制御部２０は、ＣＰＵが制御プログラムを実行することにより実現されるプログラム実行部２１と、主にＲＡＭから構成される記憶部２２とを備えている。
【００３０】
区分処理部２１１は、プレスキャンで読み取った写真フィルムから、ピースフィルムを作成するために写真フィルムを複数のグループに区分けする。区分処理部２１１は、操作部６０を介して入力された先頭（１本目）のピースフィルムに含まれるコマ画像の個数（先頭コマ数）と、２本目以降のピースフィルムに含まれるコマ画像の個数（ピースコマ数）とを用いて各グループに含まれるコマ画像の枚数を決定する。例えば、２４枚撮りの写真フィルムＦであって、先頭のコマ数が２、ピースコマ数が６と設定された場合、区分処理部２１１は、写真フィルムＦを２、６、６、６、４のグループに区分けする。このようにグループを区分けするのは、ラボ店では写真フィルムは、同時プリント終了時に略等しい長さのピースフィルムに裁断してネガ袋に収納しているという現実の処理と対応させたものである。従って、特有なピースフィルムを作成するラボ店に対しても対応するピースフィルムの設定ができるように、操作部６０で先頭コマ数と、ピースコマ数とを受け付け可能にしている。なお、コマ画像記憶部２２１に記憶されている各コマ画像は、区分処理部２１１が区分けしたグループの順序を示すグループ番号と対応付けられる。ここで、区分処理部２１１は、例えば、先頭コマ数は３枚、第２グループは４枚、第３グループは５枚というように各グループに含まれるコマ画像の枚数をオペレータの操作指令に応じて、それぞれ個別に設定できるものであってもよい。
【００３１】
基本露光データ算出部２１２は、区分処理部２１１が区分けした各グループに含まれるコマ画像のＲ、Ｇ及びＢ成分毎の輝度の平均値をグループ毎の基本露光データとして算出し、算出した基本露光データをグループ番号と対応付けて基本露光データ記憶部２２３に記憶する。
【００３２】
コマ画像補正部２１３は、各コマ画像の露光データと、そのコマ画像が属するグループの基本露光データとから各コマ画像の露光データを補正する。具体的には、コマ画像のＲ、Ｇ及びＢの色成分毎の輝度の平均値が、そのコマ画像が属するグループの基本露光データとなるように各画素の輝度データを変更するための補正係数を算出し、算出した補正係数を用いてコマ画像の露光データを補正する。これにより、同一グループに含まれる各コマ画像は、カラーバランスが調整されるとともに画像濃度が適正な値とされる。
【００３３】
変数設定部２１４は、写真フィルムに含まれる全てのコマ画像の枚数（総コマ数）をカウントし、総コマ数を変数Ｍとして変数記憶部２２３に記憶するとともに、操作部６０を介して入力された先頭コマ数又はピースコマ数を変数ｎとして変数記憶部２２３に記憶する。また、変数設定部２１４は、１枚のコマ画像の補正が終了する毎に、変数Ｍ及びｎの値を１減算し、変数Ｍ及びｎの値を更新する。また、変数設定部２１４は、全てのコマ画像の補正が終了したか否かを判断するために変数Ｍの値が０になったか否かを判断する。また、変数設定部２１４は、１つのグループ内の全てのコマ画像の補正が終了したか否かを判断するために変数ｎの値が０になったか否かを判断する。また、変数設定部２１４は、現在処理しているコマ画像が属するグループが最終グループであるか否かを判断するために変数ｎとピースコマ数との値とを比較する。
【００３４】
インデックス画像作成部２１５は、コマ画像記憶部２２１に記憶されているコマ画像を先頭のコマ画像から順番に読み出し、写真フィルムをピースフィルムに裁断したときと同一のグループとなるように各コマ画像を配列し、インデックス画像を作成する。具体的には、２４枚撮りの写真フィルムが、２枚、６枚、６枚、６枚及び４枚のグループに区分けされた場合、１行目に２枚、２〜４行目のそれぞれに６枚、５行目に４枚のコマ画像を配列させてインデックス画像を作成する。
【００３５】
次に、本写真処理装置の動作について図３に示すフローチャートに従って説明する。
【００３６】
まず、オペレータにより、操作部６０を介して先頭コマ数及びピースコマ数が入力されると（ステップＳ１）、変数設定部２１４により、先頭コマ数が変数ｎとして設定される（ステップＳ２）。ここで、先頭コマ数は、写真現像処理装置を設置するサービスマンが、写真現像処理装置をラボ店に設置する際に、ラボ店の店主との打ち合わせにより決定された数値を用いるものであってもよい。この場合、ステップＳ１及びステップＳ２のは不要となる。
【００３７】
次いで、撮像部１４により、写真フィルムＦに含まれる全ての画像がプレスキャニングされ（ステップＳ３）、コマ番号と対応づけてコマ画像記憶部２２１に記憶される。次いで、ステップＳ３でプレスキャンすることにより読み取った写真フィルムＦに含まれるコマ画像の総コマ数が、変数設定部２１４により、変数Ｍとして設定される（ステップＳ４）。
【００３８】
次いで、区分処理部２１１により、先頭コマ数、ピースコマ数及び総コマ数を用いて、写真フィルムＦに含まれる各コマ画像がグループに区分けされる（ステップＳ５）。例えば、２４枚撮りの写真フィルムにおいて、オペレータにより先頭コマ数として２、ピースコマ数として６が入力されたとすると、区分処理部２１１は、先頭のグループのコマ数が２枚、２〜４番目の各グループのコマ数が６枚、５番目のグループのコマ数が４枚となるように区分けする。
【００３９】
通常、１本の写真フィルムは、各ピースフィルムの長さが等しくなるように、かつ、１本あたりのピースフィルムの長さが持ち運び易い長さとなるように裁断される。写真フィルムの長尺方向の先端近傍の位置に１枚目のコマ画像は記録されておらず、長尺方向の先端から所定距離離れた位置に１コマ目の画像が記録され、それ以降の画像は、前コマ画像と多少離間した位置に隣接して記録されている。そのため、ピースフィルムに含まれるコマ画像の枚数を全て等しくすると、先頭のピースフィルムの長さが他のピースフィルムより著しく長くなってしまう。そこで、区分処理部２１１は、各ピースフィルムの長さが等しくなるように先頭のピースフィルムに含まれるコマ画像の枚数と、それ以降のピースフィルムに含まれる画像の枚数とが異なるように写真フィルムＦを複数のグループに区分けする。
【００４０】
次いで、基本露光データ算出部２１２により、コマ画像記憶部２２１に記憶されているプレスキャンされた各コマ画像のデータを用いてグループ毎の基本露光データが算出される（ステップＳ６）。算出された基本露光データは、グループ番号と対応づけて、基本露光データ記憶部２２２に記憶される。
【００４１】
次いで、コマ画像補正部２１３により、各コマ画像に対応する基本露光データを用いて、各コマ画像の露光データが補正される（ステップＳ７）。そして、補正された露光データは、そのコマ番号とを対応付けてコマ画像記憶部２２１に記憶される。
【００４２】
次いで、変数設定部２１４により、変数ｎの値が１減算され変数ｎが更新されるとともに、変数Ｍの値が１減算され、変数Ｍの値が更新される（ステップＳ８）。
【００４３】
次いで、変数設定部２１４により、変数Ｍが０であるか否かの判断が行われ、Ｍ＝０でない場合（ステップＳ９でＮＯ）、すなわち、全てのコマ画像の露光データの補正が終了していない場合、ステップＳ１０に進む。次いで、変数設定部２１４により、変数ｎの値が０であるか否かの判断が行われ（ステップＳ１０）、ｎ＝０でない場合（ステップＳ１０でＮＯ）、すなわち、各グループにおいて、最終のコマ画像の露光データの補正が終了していない場合、ステップＳ７に戻り、次のコマ画像の露光データが補正される。
【００４４】
ステップＳ１０において、ｎ＝０と判断された場合、すなわち、各グループにおいて、最終のコマ画像の露光データの補正が終了した場合、変数設定部２１４により、変数Ｍの値が、ピースコマ数の値より大きいか否かの判断がされ、（ステップＳ１１）、変数Ｍの値がピースコマ数の値よりも大きい場合（ステップＳ１１でＹＥＳ）、すなわち、最終グループに含まれるコマ画像の露光データの補正が終了していない場合、変数設定部２１４により、変数ｎにピースコマ数の値が設定され（ステップＳ１３）、ステップＳ７に戻り、次のグループの１枚目のコマ画像の露光データが補正される。
【００４５】
一方、ステップＳ１１において、変数設定部２１４により、変数Ｍの値がピースコマ数以下と判断されると（ステップＳ１１においてＮＯ）、変数ｎに変数Ｍの値が設定される。
【００４６】
一方、ステップＳ９において、変数設定部２１４によりＭ＝０と判断された場合（ステップＳ９でＹＥＳ）、すなわち、全コマ画像の露光データの補正が終了した場合、ステップＳ１４に進む。次いで、オペレータにより、インデックス画像を作成するように操作部６０を介して指示されると、インデックス画像作成部２１５は、ピースフィルムを作成するために複数のグループに区分けされた写真フィルムＦのレイアウトにしたがって、インデックス画像を作成する（ステップＳ１５）。
【００４７】
図４は、インデックス画像作成部２１５が作成するインデックス画像の一例を示した画面図である。図４は、２４枚撮りの写真フィルムを基に作成したインデックス画像を示している。２４枚撮りの写真フィルムＦは、それぞれ先頭のコマ画像から順番に、２枚、６枚、６枚、６枚、４枚のコマ画像を含むグループに区分されている。そのため、インデックス画像は、区分けされたグループのレイアウトにしたがって、１行目に２枚、２〜４行目にそれぞれ６枚、５行目に４枚のコマ画像が配列されている。その結果、顧客に手渡されるピースフィルムのコマ画像のレイアウトと、インデックス画像のレイアウトとが一致し、例えば顧客が焼き増しプリントを注文する際の、インデックス画像とピースフィルムとを照合する作業が容易となる。
【００４８】
なお、本発明は以下の態様をとることができる。
【００４９】
（１）上記実施形態では、露光部４０は、露光エンジンとしてレーザ露光式のものを採用したがこれに限定されず、蛍光表示管方式あるいは液晶シャッタ方式のものを採用してもよい。
【００５０】
（２）上記実施形態では、撮像部１４は、プレスキャンと本スキャンとの両方を行っているが、これに限定されず、プレスキャン用の撮像部を配設し、この撮像部によりプレスキャンを行ってもよい。
【００５１】
【発明の効果】
以上説明したように、本発明によれば、所定コマ数毎に区分けされたグループ毎に基本露光データを算出しているため、同時プリント時と焼き増しプリント時とにおいて、同画質の写真をプリントすることができる。
【００５２】
さらに、各ピースフィルムの長尺方向の長さが等しくなるように写真フィルムが区分けされるため、ネガ袋に入れる際の取り扱いが容易となる。
【００５３】
さらに、オペレータの入力操作に応じて、各グループに含まれるコマ数が決定されるため、各ピースフィルムの長尺方向の長さを所望する長さにすることができる。
【００５４】
さらに、区分けされたグループのフォーマットにしたがって、インデックス画像が作成されるため、インデックス画像とピースフィルムとの照合が容易となる。
【図面の簡単な説明】
【図１】本発明の一実施形態に係る写真処理装置を示した図である。
【図２】制御部２０の機能ブロック図を示している。
【図３】本発明の一実施形態に係る写真処理装置の動作を示すフローチャートである。
【図４】インデックス画像の一例を示した図である。
【符号の説明】
１０　フィルムスキャナ部
１７　コマ番号読取部
２０　制御部
４０　露光部
１４１　プリズム
１４２Ｒ　赤色フィルタ
１４２Ｇ　緑色フィルタ
１４２Ｂ　青色フィルタ
１４３Ｒ、１４３Ｇ、１４３Ｂ　ＣＣＤラインセンサ
２１１　区分処理部
２１２　基本露光データ算出部
２１３　コマ画像補正部
２１４　変数設定部
２１５　インデックス画像作成部
２２１　コマ画像記憶部
２２２　基本露光データ記憶部
２２３　変数記憶部
【図１】
2004077769.tif 000003
【図２】
2004077769.tif 000004
【図３】
2004077769.tif 000005
【図４】
2004077769.tif 000006